(57)【特許請求の範囲】
【請求項１】
マトリクス状に配設された複数の信号配線および複数の走査配線と、信号配線と走査配線との各交差部に規定された画素部と、各画素部に設けられた画素表示素子と、を備え、上記走査配線に印加された駆動電圧および上記信号配線に印加された表示信号電圧により上記画素部を駆動して画像を表示する平面表示装置の駆動方法において、
１つの画像フレーム期間内に、この画像フレーム期間を走査配線数で割った走査駆動期間で各走査配線に順番に駆動電圧を供給して画像を表示する線順次駆動とし、
少なくともある１つの走査配線に駆動電圧を印加する際、選択された走査配線に加えて、上記選択された走査配線に隣接した１本以上の他の走査配線に駆動電圧を同時に印加するとともに、上記選択された走査配線のみで駆動するときの駆動電圧よりも小さい駆動電圧を、上記選択された走査配線に印加することを特徴とする駆動方法。
【請求項２】
上記画像表示素子は、印加される電圧の増加に応じて発光輝度が増大する単調増加特性を有していることを特徴とする請求項１に記載の平面表示装置の駆動方法。
【請求項３】
上記画像表示素子は、駆動に際して上記走査配線上に電流が流れる素子であることを特徴とする請求項１に記載の平面表示装置の駆動方法。
【請求項４】
上記画像表示素子は、表面伝導型電子放出素子を含んでいることを特徴とする請求項３に記載の平面表示装置の駆動方法。
【請求項５】
上記選択された走査配線に印加する駆動電圧以下の駆動電圧を、上記選択された走査配線に隣接した他の走査配線に印加することを特徴とする請求項１ないし４のいずれか１項に記載の平面表示装置の駆動方法。
【請求項６】
上記選択された走査配線により駆動される画素部の発光輝度と、上記選択された走査配線に隣接した他の走査配線により駆動される画素部の発光輝度との割合を、任意に調整することを特徴とする請求項１に記載の平面表示装置の駆動方法。
【請求項７】
マトリクス状に配設された複数の信号配線および複数の走査配線と、信号配線と走査配線との各交差部に規定された画素部と、各画素部に設けられた画素表示素子と、を備え、上記走査配線に印加された駆動電圧および上記信号配線に印加された表示信号電圧により上記画素部を駆動して画像を表示する平面表示装置の駆動方法において、
１つの画像フレーム期間内に、この画像フレーム期間を走査配線数で割った走査駆動期間で各走査配線に順番に駆動電圧を供給して画像を表示する線順次駆動とし、
少なくともある１つの走査配線に駆動電圧を印加する際、選択された走査配線に加えて、上記選択された走査配線に隣接した１本以上の他の走査配線に駆動電圧を同時に印加し、
上記選択された走査配線により駆動される画素部の発光輝度と、上記選択された走査配線に隣接する他の走査配線により駆動される画素部の発光輝度との割合を、上記選択された走査配線を選択した時に上記複数の信号配線に印加される表示信号電圧の総量が大きいほど、上記選択された走査配線に隣接する走査配線により駆動される画素部の発光輝度の割合が増加するように駆動電圧を制御することを特徴とする平面表示装置の駆動方法。
【請求項８】
上記表示信号電圧の総量は、少なくとも上記表示信号電圧が印加される時間の総量を含んでいることを特徴とする請求項７に記載の平面表示装置の駆動方法。
【請求項９】
上記表示信号電圧の総量は、少なくとも上記表示信号電圧の大きさの総量を含んでいることを特徴とする請求項７に記載の平面表示装置の駆動方法。
【請求項１０】
マトリクス状に配設された複数の信号配線および複数の走査配線と、信号配線と走査配線との各交差部に規定された画素部と、各画素部に設けられた画素表示素子と、を備え、上記走査配線に印加された駆動電圧および上記信号配線に印加された表示信号電圧により上記画素部を駆動して画像を表示する平面表示装置の駆動方法において、
１つの画像フレーム期間内に、この画像フレーム期間を走査配線数で割った走査駆動期間で各走査配線に順番に駆動電圧を供給して画像を表示する線順次駆動とし、
少なくともある１つの走査配線に駆動電圧を印加する際、選択された走査配線に加えて、上記選択された走査配線に隣接した１本以上の他の走査配線に駆動電圧を同時に印加し、
上記選択された走査配線により駆動される画素部の発光輝度と、上記選択された走査配線に隣接する走査配線により駆動される画素部の発光輝度との割合を、上記選択された走査配線を選択した時に上記複数の信号配線に印加される表示信号電圧の総量と、上記選択された走査配線に隣接する走査配線を選択した時に上記複数の信号配線に印加される表示信号電圧の総量との差が大きいほど、上記選択された走査配線に隣接する走査配線により駆動される画素部の発光輝度の割合が増加するように駆動電圧を制御することを特徴とする平面表示装置の駆動方法。
【請求項１１】
マトリクス状に配設された複数の信号配線および複数の走査配線と、信号配線と走査配線との各交差部に規定された画素部と、各画素部に設けられた画素表示素子と、を備え、上記走査配線に印加された駆動電圧および上記信号配線に印加された表示信号電圧により上記画素部を駆動して画像を表示する平面表示装置の駆動方法において、
１つの画像フレーム期間内に、この画像フレーム期間を走査配線数で割った走査駆動期間で各走査配線に順番に駆動電圧を供給して画像を表示する線順次駆動とし、
少なくともある１つの走査配線に駆動電圧を印加する際、選択された走査配線に加えて、上記選択された走査配線に隣接した１本以上の他の走査配線に駆動電圧を同時に印加し、
上記選択された走査配線により駆動される画素部の発光輝度と、上記選択された走査配線に隣接する走査配線により駆動される画素部の発光輝度との割合を、画像全体の表示信号電圧の総量が大きいほど、上記選択された走査配線に隣接する走査配線により駆動される画素部の発光輝度の割合が増加するように駆動電圧を制御することを特徴とする平面表示装置の駆動方法。
【請求項１２】
マトリクス状に配設された複数の信号配線および複数の走査配線と、信号配線と走査配線との各交差部に規定された画素部と、各画素部に設けられた画素表示素子と、を備え、上記走査配線に印加された駆動電圧および上記信号配線に印加された表示信号電圧により上記画素部を駆動して画像を表示する平面表示装置の駆動方法において、
１つの画像フレーム期間内に、この画像フレーム期間を走査配線数で割った走査駆動期間で各走査配線に順番に駆動電圧を供給して画像を表示する線順次駆動とし、
少なくともある１つの走査配線に駆動電圧を印加する際、上記選択された走査配線により駆動される画素部に印加される表示信号電圧の総量が所定値を越えている場合、上記選択された走査配線に加えて、上記選択された走査配線に隣接した１本以上の他の走査配線に駆動電圧を分割して同時に印加することを特徴とする平面表示装置の駆動方法。
【発明の詳細な説明】
【０００１】
【発明の属する技術分野】
この発明は、線順次駆動を採用した平面表示装置の駆動方法に係り、特に、走査配線抵抗により表示ムラを生じる平面表示装置の駆動方法に関する。
【０００２】
【従来の技術】
近年、陰極線管（以下、ＣＲＴと称する）に代わる次世代の軽量、薄型の表示装置として様々な平面表示装置が開発されている。このような平面表示装置には、液晶の配向を利用して光の強弱を制御する液晶ディスプレイ（以下、ＬＣＤと称する）、プラズマ放電の紫外線により蛍光体を発光させるプラズマディスプレイパネル（以下、ＰＤＰと称する）、蛍光体のエレクトロルミネッセンス（ＥＬ）現象を利用した表示装置、電界放出型電子放出素子の電子ビームにより蛍光体を発光させるフィールドエミッションディスプレイ（以下、ＦＥＤと称する）、表面伝導型電子放出素子の電子ビームにより蛍光体を発光させる表面伝導エミッションディスプレイ（以下、ＳＥＤと称する）などがある。
【０００３】
これらの平面表示装置の画像表示方法としては、マトリクス状に配置した多数の走査配線および信号配線を用いて線順次駆動することが最も簡単な方法である。このような駆動方式を用いたいわゆるマトリックス型の表面表示装置は、通常、多数の走査配線と、これら走査配線と直交する方向に延びた多数の信号配線とを備え、走査配線と信号配線との各交差部に画素部が規定されている。各画素部には、画像表示素子が設けられ走査配線および信号配線に接続されている。
【０００４】
走査配線は、走査線駆動回路からの制御電圧を各画像表示素子に供給し、信号配線は、信号線駆動回路から表示信号電圧を各画像表示素子に供給する。例えば、画像表示素子として電界放出型の電子放出素子を用いた表面表示装置においては、電子放出素子に対して走査配線および信号配線から電圧を印加すると、電子放出部から電子が放出される。この放出電子は、対向配置された基板上に形成された蛍光体を励起して発光させる。そして、印加電圧あるいは電圧印加時間に応じて電界放出される電子の量を制御し、発光輝度を調整することができる。
【０００５】
そして、前述した線順次駆動は、１つの画像を走査配線上の画素表示素子毎の画像に分解し、ある走査配線のみを選択駆動させ同時に信号配線上にこの走査配線毎に分解した表示信号を出力し、選択された画素表示素子に電圧を印加する。これを全ての走査配線に対して順次行って画素表示素子を駆動することにより画像を表示する駆動方法である。しくみが単純なため、メモリ機構を持たないＦＥＤやＳＥＤ、薄膜トランジスタを用いないＬＣＤなどで使用されている。
【０００６】
【発明が解決しようとする課題】
ＳＥＤのような画像表示に際して大きな電流を配線に流す平面表示装置においては、線順次駆動で選択された走査配線に、この走査配線上の駆動表示された画素表示素子から電流が流れ込み、走査配線自体の抵抗成分と流れ込んだ駆動電流とにより走査配線部で電圧降下を引き起こす。
【０００７】
走査配線で電圧降下が生じると、走査配線上の各々の画素表示素子に掛かる駆動電圧がそれぞれの場所の電圧降下に応じて減少する。そのため、駆動ドライバから遠い画素ほど表示が暗く、ムラのある画像となってしまう。
【０００８】
例えば、図１１に一例を示すように、矩形状の表示領域を有し、走査配線が水平方向に延びているとともに走査線駆動回路が画面右辺に設けられた平面表示装置において、画面の右側下半分に黒、その他を白として表示した場合を考える。この場合、走査線駆動回路が画面右辺に配置されているため、白領域、すなわち画素表示素子が光って電流が走査配線に流れ込んでくる領域の内、画面の上半分では、画面の右辺から左辺へ進むに従い電圧降下により画面が暗くなってしまう。
【０００９】
同様に、画面下半分の領域では、画面中央部から左辺へ進むに従い電圧降下により画面が暗くなる。しかし、画面下半分の領域では、右側半分に黒領域、すなわち画素表示素子が光らずに電流が流れ込まない領域があるため、電圧降下が画面上半部に比較して小さくなる。その結果、同じ白領域であるにも拘わらず、画面の上半面と下側左半面とに輝度差が生じ、境界部にはっきりした境界線が現れている。
【００１０】
このような走査配線の電圧降下による問題は、走査配線抵抗を低く設計することで改善されるが、低抵抗設計には量産上、技術上の限界があった。
【００１１】
この発明は以上の点に鑑みなされたもので、その目的は、配線抵抗に起因する表示ムラを低減し、画像品位向上を図ることが可能な平面表示装置の駆動方法を提供することにある。
【００１２】
【課題を解決するための手段】
上記の課題を解決するため、この発明の態様に係る平面表示装置の駆動方法は、マトリクス状に配設された複数の信号配線および複数の走査配線と、各信号配線と走査配線との各交差部に規定された画素部と、各画素部に設けられた画素表示素子と、を備え、上記走査配線に印加された駆動電圧および上記信号配線に印加された表示信号電圧により上記画素部を駆動して画像を表示する平面表示装置の駆動方法において、
１つの画像フレーム期間内に、この画像フレーム期間を走査配線数で割った走査駆動期間で各走査配線に順番に駆動電圧を供給して画像を表示する線順次駆動とし、
少なくともある１つの走査配線に駆動電圧を印加する際、選択された走査配線に加えて、上記選択された走査配線に隣接した１本以上の他の走査配線に画像を表示する駆動電圧を同時に印加するとともに、上記選択された走査配線のみで駆動するときの駆動電圧よりも小さい駆動電圧を、上記選択された走査配線に印加することを特徴としている。
【００１３】
上記構成の駆動方法によれば、駆動電圧を複数の走査配線に分割して供給するため、１本の走査配線に同時期に流れる電流が減少し、各走査配線の電圧降下による影響を改善することができる。
【００１４】
【発明の実施の形態】
以下、図面を参照しながら、この発明の実施の形態に係る平面表示装置の駆動方法について詳細に説明する。
始めに、本実施の形態に係る駆動方式を採用する平面表示装置として、表面伝導型の電子放出素子を備えたＳＥＤを例にとって説明する。
【００１５】
図１および図２に示すように、このＳＥＤは、それぞれ透明な矩形状の絶縁基板、例えば、ガラス板からなる背面基板１および前面基板２を備え、これらの基板は所定の隙間を置いて対向配置されている。そして、背面基板１および前面基板２は、ガラスからなる矩形枠状の側壁３を介して周縁部同志が接合され、偏平な矩形状の真空外囲器４を構成している。
【００１６】
前面基板２の内面には蛍光体スクリーン６が形成されている。この蛍光体スクリーン６は、赤、青、緑の蛍光体層、および黒色着色層を並べて構成されている。これらの蛍光体層はストライプ状あるいはドット状に形成されている。また、蛍光体スクリーン６上には、アルミニウム等からなるアノード電極として機能するメタルバック７が形成されている。表示動作時、メタルバック７には所定のアノード電圧が印加される。
【００１７】
接合部材として機能するほぼ矩形枠状の側壁３は、例えば、封着材９により、背面基板１の周縁部および前面基板２の周縁部に封着され、前面基板および背面基板同志を接合している。
【００１８】
そして、背面基板１および前面基板２の間には、板状のグリッド２０が配置され、背面基板１および前面基板２と隙間を置いてほぼ平行に対向している。そして、グリッド２０には、背面基板１上に設けられた電子放出素子８と対向する位置に、電子ビーム通過孔２２が形成されている。
【００１９】
背面基板１および前面基板２の間には、これら基板間の間隔を維持するため、それぞれ板状あるいは柱状に形成された多数のスペーサ１０が配置されている。これらのスペーサ１０は、所定の位置に位置決めされた状態でグリッド２０に取り付けられている。そして、スペーサ１０は、その両端がそれぞれ背面基板１および前面基板２に当接することにより、これらの基板に作用する大気圧荷重を支持し、基板間の間隔を所定値に維持している。
【００２０】
図３および図４に示すように、背面基板１の内面上には、互いに平行に延びた多数の走査配線３０、および走査配線と直交する方向に延びた多数の信号配線４０が形成されている。走査配線３０は４８０本、信号配線４０は６４０×３本設けられ、配線ピッチはそれぞれ９００μｍ、３００μｍとなっている。
【００２１】
また、各走査配線３０の右端は走査線駆動回路３２に接続され、各信号配線４０の上端は信号線駆動回路４２に接続されている。走査線駆動回路３２は、後述する電子放出素子を駆動制御するための駆動電圧を走査配線３０に供給し、信号線駆動回路４２は、表示信号電圧を信号配線４０に供給する。
【００２２】
図３に２点鎖線で示す表示領域３４において、走査配線３０と信号配線４０との各交差部には画素部５０が規定され、各画素部には、蛍光体スクリーン６の蛍光体層を励起する画素表示素子として、電子ビームを放出する電子放出素子８が設けられている。電子放出素子８は、各走査配線３０に沿って６４０×３個、各信号配線４０に沿って４８０個設けられている。
【００２３】
図４および図５に示すように、各電子放出素子１８は表面伝導型の電子放出素子として構成されている。すなわち、各電子放出素子１８は、導電性薄膜２５と、走査配線３０および信号配線４０にそれぞれ接続され導電性薄膜に電圧を印加する一対の素子電極２７、２８と、を備えている。導電性薄膜２５の中央には、極小な亀裂からなる電子放出部２６が形成されている。
【００２４】
そして、走査線駆動回路３２から走査配線３０を通して素子電極２７に駆動電圧を印加し、また、信号線駆動回路４２から信号配線４０を通して素子電極２８に表示信号電圧を印加すると、電子放出部２６で電界放出電子により電流が流れ、その一部が蛍光体スクリーン６に流れて蛍光体を励起し発光させる。
【００２５】
電子放出素子８は、素子電極２７、２８間に印加される電圧の増加に応じて発光輝度が増大する単調増加特性を有している。そのため、電子放出素子８は、素子電極２７、２８に印加される電圧の大きさ、あるいは電圧印加時間に応じて、電界放出される電子の量を制御し、蛍光体の発光輝度を調整することができる。
【００２６】
次に、上記のように構成されたＳＥＤの駆動方式について詳細に説明する。
始めに、一般的な線順次駆動について説明すると、図６に示すように、走査配線３０は、例えば、上から順番に１本ずつ駆動電圧が供給されて駆動状態となり、これに同期して、信号配線４０に走査配線毎の表示信号電圧が送られ、駆動電圧および表示信号電圧が印加された電子放出素子８が電子を放出することで画像が形成される。
【００２７】
上からＮ番目の走査配線３０に接続された電子放出素子８を駆動する際、電子放出素子を１００％の明るさで駆動できる駆動電圧Ｖ１００がＮ番目の走査配線のみに印加され、他の走査配線には電子放出素子を０％の明るさで駆動する駆動電圧Ｖ０が印加される。この時、信号配線４０に全て１００％の表示信号電圧が入力されていれば、Ｎ番目の走査配線３０上の画素は１００％の明るさで光ることになり、その他の走査配線上の画素は０％の明るさで光る。ここで、便宜上０％の明るさと記述したが、実際にはＶ０でも画素が若干光ってしまうことが多く、１００％、０％とは概念的に用いた表記である。
【００２８】
これに対して、本実施の形態に係る駆動方法では、図７に示すように、Ｎ番目の走査配線３０が選択された場合、Ｎ番目の走査配線には電子放出素子８を５０％の明るさで駆動する駆動電圧Ｖ５０を印加し、同時に、その上下に隣接するＮ−１番目およびＮ＋１番目の走査配線には電子放出素子８を２５％の明るさで駆動する駆動電圧Ｖ２５を印加する。
【００２９】
つまり、Ｎ番目の走査配線３０に接続された電子放出素子８による画像表示を、隣接するＮ−１番目およびＮ＋１番目の走査配線に接続された電子放出素子によって半分だけ肩代わりして表示する駆動方法となっている。
【００３０】
そして、選択されたＮ番目の走査配線に印加される駆動電圧は、このＮ番目の走査配線のみを駆動して画像表示する際に印加される駆動電圧よりも小さく設定され、また、選択された走査配線に隣接するＮ−１番目およびＮ＋１番目の走査配線には、選択されたＮ番目の走査配線に印加される駆動電圧以下の駆動電圧が印加される。
【００３１】
これにより、Ｎ番目の走査配線３０で発生する電流は、図６に示す場合に比較してほぼ半減し、前述した走査配線での電圧降下による影響を半減させることができる。言い換えれば、走査配線３０での電圧降下の原因となる走査配線電流を２本分の走査配線に分けて流す構造となるため、走査配線の抵抗を半減した効果が得られる。
【００３２】
図８は、本発明の他の実施の形態に係る駆動方法を示している。この実施の形態によれば、Ｎ番目の走査配線３０が選択された場合、Ｎ番目の走査配線には電子放出素子８を５０％の明るさで駆動する駆動電圧Ｖ５０を印加し、同時に、その下に隣接するＮ＋１番目の走査配線にも、電子放出素子８を５０％の明るさで駆動する駆動電圧Ｖ５０を印加する。すなわち、Ｎ番目の走査配線３０に接続された電子放出素子によって表示する画像を、Ｎ番目およびＮ＋１番目の走査配線３０にそれぞれ接続された電子放出素子により半分ずつ表示させる。
【００３３】
この駆動方法においても、Ｎ番目およびＮ＋１番目の走査配線３０で発生する電流は、図６に示す場合に比較してほぼ半減し、走査配線での電圧降下による影響を半減させることができる。すなわち、走査配線３０での電圧降下の原因となる走査配線電流を２本分の走査配線に分けて流す構造となるため、走査配線の抵抗を半減した効果が得られる。
なお、上記他の実施の形態において、Ｎ＋１番目の走査配線３０の代わりに、Ｎ−１番目の走査配線を用いても同様の作用効果を得ることができる。
【００３４】
上述した実施の形態に係る駆動方法では、各走査配線３０に印加される駆動電圧最大値がＶ５０であり、通常の線順次駆動のＶ１００に比較して小さい電圧で電子放出素子８を駆動することができる。これは、走査配線３０を駆動する走査線駆動回路３２の低コスト化、立ち上り／立ち下がり特性の向上などの利点をもたらすことができる。
【００３５】
なお、上述した実施の形態に係る駆動方法において、同時に駆動する走査配線３０は２本以上であればよく、その数は３本でも５本でもよい。また、選択された走査配線に供給する駆動電圧と、これに隣接した走査配線に供給する駆動電圧との割合、つまり、選択された走査配線によって駆動される画素部の発光輝度と、これに隣接する走査配線によって駆動される画素部の発光輝度との割合は、図７に示した５０％：２５％、あるいは、図８に示した５０％：５０％に限るものではなく、自由に設定することができる。
【００３６】
また、上述した説明では、図１１に示したような走査配線での電圧降下による画像劣化を緩和する作用として、走査配線電流を複数の走査配線に分割して流す構成とした。この場合、図Ａに示す水平方向に延びた境界線の問題については、複数の隣接する走査線上の画素部を同時に駆動することで抑制することができるが、画像を垂直方向ににじませ境界線を視認しにくくする作用もある。
【００３７】
これは一方で、図９（ａ）に示すような、走査配線に垂直な方向に画像にじみを発生させる。図９（ａ）は、図７に示した５０％：２５％比率で３本の走査配線３０を同時駆動した場合の記号Ｅおよび●の見え方、図９（ｂ）は、通常の線順次駆動により走査配線を駆動した場合の記号Ｅおよび●の見え方をそれぞれ示している。
【００３８】
そこで、本実施の形態に係る駆動方法では、画像パターンに応じた駆制御を行うことにより、画像にじみの緩和を図っている。すなわち、走査配線での電圧降下による影響は、白画面表示で急激に白領域が変わるような画面で出易い。走査配線での電圧降下が問題となる条件は、主に下記２条件が考えられる。
【００３９】
１）ある走査配線を選択した時に信号配線に印加される表示信号電圧総量が大きい。ここで、総量とは、表示信号がパルス幅変調の場合は、電圧印加時間の積算量を示し、表示信号がパルス高変調の場合は電圧の大きさの積算量を示している。
走査配線に流れ込む電流が大きくなり、電圧降下が増大する。
２）隣接する走査配線間のそれぞれの走査配線を選択した時に信号線に印加される表示信号電圧総量の差が大きい。
隣接する走査配線での電圧降下に差を生じ、境界線が現れる。
【００４０】
従って、これらの表示信号電圧総量、または表示信号電圧総量差を予め算出し、その値に応じて、選択した走査配線によって駆動される画素部の明るさと、これに隣接する走査配線によって駆動される画素部の明るさとの比率を変化させることで、画像にじみを緩和させつつ、走査配線での電圧降下を抑制することができる。
【００４１】
実施の形態について詳細に説明する。
まず、線順次走査で選択した走査配線３０に印加する駆動電圧と、これに隣接する走査配線に印加する駆動電圧との値を差動的に変動制御する走査駆動システムを用意する。ここで差動的とは、選択した走査配線３０に印加する駆動電圧とこれに隣接する走査配線に印加する駆動電圧との比率を変えても画素部のトータルの発光輝度は変化しないように制御することを意味している。
【００４２】
続いて、ある走査配線選択時に信号配線に印加される表示信号電圧の総量をカウントする。そして、この総量が１００％となる場合は、図７に示したように、選択した走査配線Ｎによって駆動される画素部の発光輝度を５０％、隣接する走査配線Ｎ−１およびＮ＋１によって駆動される画素部の発光輝度を各２５％とするように、走査配線の駆動電圧を制御する。
【００４３】
逆に、表示信号電圧の総量が０％となる場合は、従来の線順次走査通りに選択した走査配線Ｎによって駆動される画素部の発光輝度を１００％、隣接する走査配線Ｎ−１およびＮ＋１によって駆動される画素部の発光輝度の発光輝度をそれぞれ０％とするように、走査配線の駆動電圧を制御する。
【００４４】
表示信号電圧の総量が０％から１００％の中間となる場合は、その割合に応じて選択した走査配線Ｎによって駆動される画素部の発光輝度と、隣接する走査配線Ｎ−１およびＮ＋１によって駆動される画素部の発光輝度との割合が中間的となるように、走査配線の駆動電圧を制御する。
制御方法の詳細については、表示信号電圧の総量がある所定値を超えた時に初めて隣接する走査配線により駆動される画素部を発光させても良い。
【００４５】
上記のように差動的に変動制御を行うことにより、走査配線３０での電圧降下を引き起こす明るい画像を走査配線毎に検出し、表示信号電圧の総量が所定値よりも小さく電圧降下対策が不必要な暗い画像では、従来通りの線順次走査に近い駆動とすることで、画像にじみ問題を軽減することができる。
【００４６】
ここで、選択された走査配線によって駆動される画素部の発光輝度とこれに隣接する走査配線によって駆動される画素部の発光輝度との比率、選択された走査配線と同時に駆動電圧が印加される隣接走査配線の数、および表示信号電圧の総量に対する比率変化のカーブや閾値は、設計事項により最適に設計されるものであり、その選択は自由である。
【００４７】
また、動画などを主体に表示する場合、自動輝度リミッタ（ＡＢＬ）などに連動して画像全体の明るさに応じた比率制御を行ってもよい。動画表示などでは、表示信号が常に変動するため、静止画を表示する場合のような電圧降下に起因する影響はあまり顕著に現れない。また、平均的な表示電圧の総量も１０％程度が多く、電圧降下自体も少ないケースが多い。このような場合、１走査配線単位で表示信号の明るさを検出しなくても、１画像全体で明るさを検出し次の画像へフィードバックするように上述の比率を変えても大きな画像劣化は現れない。この場合、上述の走査配線毎の表示信号カウンタは不要であり、駆動回路の駆動負担を低減することができる。
【００４８】
一方、上述したような走査配線毎の画素部の発光輝度に応じた比率制御を行っても、画像にじみが問題となる画像パターンがある。例えば、図１０に示すような、白地Ａに黒の文字表示Ｂを行った画像パターンが該当する。この画像パターンでは、白基調の明るい画面であるため、上述した走査配線毎の表示信号電圧総量は大きくなる。そのため、選択した走査配線に隣接する走査配線によって駆動される画素部の発光輝度が大きくなり、画像にじみにより細かい文字の解像度が劣化してしまう。
【００４９】
このような場合、上述した隣接する走査配線間の表示信号電圧総量差を検出し、差が大きいほど隣接する走査配線によって駆動される画素部の発光比率を大きくするような制御が望ましい。つまり、選択した走査配線のみならず、この走査配線の上側および下側の走査配線についても、信号配線に印加される表示信号電圧の総量をカウントし、これら隣接する表示信号電圧の総量差が最大の場合は図７に示した発光比率とし、総量差が無い場合は従来通りの線順次駆動の発光比率とする。
【００５０】
これにより、図１０における白地Ａに黒の文字表示Ｂ部分は、黒文字による明るさの低下が小さく表示信号電圧の総量差がほとんど無いため、従来の線順次走査に近い解像度が得られる。一方で、右下の大きな黒領域Ｃとの境界部では、表示信号電圧の総量差が大きくなるため、図７に示した駆動方式の作用により、走査配線の電圧降下に起因する白部の境界線は緩和される。
【００５１】
勿論、白地Ａに黒の文字表示Ｂ部分では、走査配線の電圧降下による発光輝度のグラデーションを生じるが、グラデーションは境界線のようにくっきりしていないため画像的には大きな問題とならない。また、画面中間部の境界部では、画像にじみを生じてしまうが、通常、このような境界部では文字のような高い解像度を必要とする画像は少ないため、画像にじみはあまり目立たない。
【００５２】
なお、選択した走査配線により駆動される画素部の発光輝度とこれに隣接する走査配線により駆動される画素部の発光輝度との比率は、走査配線毎の画素部の発光輝度、および隣接する走査配線間の画素部の発光輝度差の双方により制御する構成としてもよい。
【００５３】
また、表示される画像パターンは様々であり、画像にじみ低減効果と電圧降下の影響低減効果とのバランスは、最終的にユーザーが画像を見ながら判断するものである。従って、平面表示装置に調整機能を付加し、上記発光輝度の比率、つまり、走査配線に印加される駆動電圧の比率をユーザーが任意に調整できる構成としてもよい。
【００５４】
その他、この発明は上述した実施の形態に限定されることなく、この発明の範囲内で種々変形可能である。例えば、この発明は、上述したＳＥＤに限定されることなく、ＦＥＤ、ＰＤＰ、ＥＬ表示装置等、他の平面表示装置にも適用することができる。
【００５５】
【発明の効果】
以上詳述したように、この発明によれば、配線抵抗に起因する表示ムラを低減し、画像品位の向上を図ることが可能な平面表示装置の駆動方法を提供することができる。
【図面の簡単な説明】
【図１】この発明の実施の形態に係る駆動方法を適用した平面表示装置の一例を示す斜視図。
【図２】図１の線Ａ−Ａに沿った上記平面表示装置の断面図。
【図３】上記平面表示装置の配線構造および画素配列を示す平面図。
【図４】上記配線構造および画素の一部を拡大して示す平面図。
【図５】上記平面表示装置の電子放出素子を示す平面図および断面図。
【図６】上記平面表示装置の従来の線順次駆動方法を説明するための平面図。
【図７】この発明の実施の形態に係る平面表示装置の駆動方法を説明するための平面図。
【図８】この発明の他の実施の形態に係る平面表示装置の駆動方法を説明するための平面図。
【図９】上記従来の線順次駆動方法により表示された画像および図７に示す駆動方法により表示された画像を示す図。
【図１０】白地に黒文の文字を表示した画像パターンを示す平面図。
【図１１】白地の一部に黒領域を表示した画像パターンを示す平面図。
【符号の説明】
１…背面基板
２…前面基板
３…側壁
４…真空外囲器
６…蛍光体スクリーン
７…メタルバック
８…電子放出素子
３０…走査配線
３２…走査線駆動回路
４０…信号配線
４２…信号線駆動回路
５０…画素部
【図１】
0003863417.tif 000002
【図２】
0003863417.tif 000003
【図３】
0003863417.tif 000004
【図４】
0003863417.tif 000005
【図５】
0003863417.tif 000006
【図６】
0003863417.tif 000007
【図７】
0003863417.tif 000008
【図８】
0003863417.tif 000009
【図９】
0003863417.tif 000010
【図１０】
0003863417.tif 000011
【図１１】
0003863417.tif 000012